(57)【要約】【課題】不要な位置登録の処理を抑制し、ネットワークの負荷を低減できる携帯端末、通信制御方法及び記憶媒体を提供すること。【解決手段】回線交換及びパケットサービスの双方に対して同時に位置登録できるスマートフォン１は、パケットサービスに対してのみ位置登録するネットワークに対応するネットワーク情報を設定する設定部１０１と、基地局からの報知情報に含まれる当該基地局のネットワークに対応するネットワーク情報が設定部１０１により設定されたネットワーク情報と一致する場合には、パケットサービスに対してのみ位置登録する登録部１０２と、を備える。【選択図】図５
2014082629.tif 000002
【特許請求の範囲】
【請求項１】
回線交換及びパケットサービスの双方に対して同時に位置登録できる携帯端末であって、
パケットサービスに対してのみ位置登録するネットワークに対応するネットワーク情報を設定する設定部と、
基地局からの報知情報に含まれる当該基地局のネットワークに対応するネットワーク情報が前記設定部により設定されたネットワーク情報と一致する場合には、パケットサービスに対してのみ位置登録する登録部と、を備える携帯端末。
【請求項２】
前記設定部は、電源起動時に前記ネットワーク情報を設定する請求項１に記載の携帯端末。
【請求項３】
回線交換及びパケットサービスの双方に対して同時に位置登録できる携帯端末であって、
パケットサービスに対してのみ位置登録するネットワークに対応するネットワーク情報を記憶する記憶部と、
基地局からの報知情報に含まれる当該基地局のネットワークに対応するネットワーク情報が前記記憶部に記憶されたネットワーク情報と一致する場合には、パケットサービスに対してのみ位置登録する登録部と、を備える携帯端末。
【請求項４】
前記記憶部は、不揮発性の記憶デバイスである請求項３に記載の携帯端末。
【請求項５】
前記記憶部は、基地局から回線交換に対する位置登録を拒否された場合に、当該基地局のネットワークに対応するネットワーク情報を追加記憶する請求項４に記載の携帯端末。
【請求項６】
回線交換及びパケットサービスの双方に対して同時に位置登録できる携帯端末であって、
回線交換に対してのみ位置登録するネットワークに対応するネットワーク情報を設定する設定部と、
基地局からの報知情報に含まれる当該基地局のネットワークに対応するネットワーク情報が前記設定部により設定されたネットワーク情報と一致する場合には、回線交換に対してのみ位置登録する登録部と、を備える携帯端末。
【請求項７】
回線交換及びパケットサービスの双方に対して同時に位置登録できる携帯端末の通信制御方法であって、
パケットサービスに対してのみ位置登録するネットワークに対応するネットワーク情報を設定する設定ステップと、
基地局からの報知情報に含まれる当該基地局のネットワークに対応するネットワーク情報が前記設定ステップにおいて設定されたネットワーク情報と一致する場合には、パケットサービスに対してのみ位置登録する登録ステップと、を含む通信制御方法。
【請求項８】
回線交換及びパケットサービスの双方に対して同時に位置登録できる携帯端末の通信制御方法であって、
回線交換に対してのみ位置登録するネットワークに対応するネットワーク情報を設定する設定ステップと、
基地局からの報知情報に含まれる当該基地局のネットワークに対応するネットワーク情報が前記設定ステップにおいて設定されたネットワーク情報と一致する場合には、回線交換に対してのみ位置登録する登録ステップと、を含む通信制御方法。
【請求項９】
回線交換及びパケットサービスの双方に対して同時に位置登録できる携帯端末が備える記憶媒体であって、
パケットサービスに対してのみ位置登録するネットワークに対応するネットワーク情報を設定する設定ステップと、
基地局からの報知情報に含まれる当該基地局のネットワークに対応するネットワーク情報が前記設定ステップにおいて設定されたネットワーク情報と一致する場合には、パケットサービスに対してのみ位置登録する登録ステップと、を実行させるためのプログラムを記憶した記憶媒体。
【発明の詳細な説明】
【技術分野】
【０００１】
本発明は、回線交換及びパケットサービスに位置登録する携帯端末、通信制御方法及び記憶媒体に関する。
【背景技術】
【０００２】
従来、携帯端末は、通信事業者のネットワークにおいて提供される複数の通信サービスに対応可能である。このような状況において、回線交換及びパケットサービス（又はパケット交換）の双方に対して位置登録する携帯端末が知られている（例えば、特許文献１参照）。
【先行技術文献】
【特許文献】
【０００３】
【特許文献１】特開２００５−２９５２３２号公報
【発明の概要】
【発明が解決しようとする課題】
【０００４】
しかしながら、通信サービスを提供する通信事業者にとっては、同時に双方のサービスに対して位置登録することが不都合な場合があった。
【０００５】
本発明は、不要な位置登録の処理を抑制し、ネットワークの負荷を低減できる携帯端末、通信制御方法及び記憶媒体を提供することを目的とする。
【課題を解決するための手段】
【０００６】
本発明に係る携帯端末は、回線交換及びパケットサービスの双方に対して同時に位置登録できる携帯端末であって、パケットサービスに対してのみ位置登録するネットワークに対応するネットワーク情報を設定する設定部と、基地局からの報知情報に含まれる当該基地局のネットワークに対応するネットワーク情報が前記設定部により設定されたネットワーク情報と一致する場合には、パケットサービスに対してのみ位置登録する登録部と、を備える。
【０００７】
また、前記設定部は、電源起動時に前記ネットワーク情報を設定することが好ましい。
【０００８】
本発明に係る携帯端末は、回線交換及びパケットサービスの双方に対して同時に位置登録できる携帯端末であって、パケットサービスに対してのみ位置登録するネットワークに対応するネットワーク情報を記憶する記憶部と、基地局からの報知情報に含まれる当該基地局のネットワークに対応するネットワーク情報が前記記憶部に記憶されたネットワーク情報と一致する場合には、パケットサービスに対してのみ位置登録する登録部と、を備える。
【０００９】
また、前記記憶部は、不揮発性の記憶デバイスであることが好ましい。
【００１０】
また、前記記憶部は、基地局から回線交換に対する位置登録を拒否された場合に、当該基地局のネットワークに対応するネットワーク情報を追加記憶することが好ましい。
【００１１】
本発明に係る携帯端末は、回線交換及びパケットサービスの双方に対して同時に位置登録できる携帯端末であって、回線交換に対してのみ位置登録するネットワークに対応するネットワーク情報を設定する設定部と、基地局からの報知情報に含まれる当該基地局のネットワークに対応するネットワーク情報が前記設定部により設定されたネットワーク情報と一致する場合には、回線交換に対してのみ位置登録する登録部と、を備える。
【００１２】
本発明に係る通信制御方法は、回線交換及びパケットサービスの双方に対して同時に位置登録できる携帯端末の通信制御方法であって、パケットサービスに対してのみ位置登録するネットワークに対応するネットワーク情報を設定する設定ステップと、基地局からの報知情報に含まれる当該基地局のネットワークに対応するネットワーク情報が前記設定ステップにおいて設定されたネットワーク情報と一致する場合には、パケットサービスに対してのみ位置登録する登録ステップと、を含む。
【００１３】
本発明に係る通信制御方法は、回線交換及びパケットサービスの双方に対して同時に位置登録できる携帯端末の通信制御方法であって、回線交換に対してのみ位置登録するネットワークに対応するネットワーク情報を設定する設定ステップと、基地局からの報知情報に含まれる当該基地局のネットワークに対応するネットワーク情報が前記設定ステップにおいて設定されたネットワーク情報と一致する場合には、回線交換に対してのみ位置登録する登録ステップと、を含む。
【００１４】
本発明に係る記憶媒体は、回線交換及びパケットサービスの双方に対して同時に位置登録できる携帯端末が備える記憶媒体であって、パケットサービスに対してのみ位置登録するネットワークに対応するネットワーク情報を設定する設定ステップと、基地局からの報知情報に含まれる当該基地局のネットワークに対応するネットワーク情報が前記設定ステップにおいて設定されたネットワーク情報と一致する場合には、パケットサービスに対してのみ位置登録する登録ステップと、を実行させるためのプログラムを記憶する。
【発明の効果】
【００１５】
本発明によれば、携帯端末において不要な位置登録の処理を抑制し、ネットワークの負荷を低減できる。
【図面の簡単な説明】
【００１６】
【図１】第１実施形態に係るスマートフォンの外観を示す斜視図である。
【図２】第１実施形態に係るスマートフォンの外観を示す正面図である。
【図３】第１実施形態に係るスマートフォンの外観を示す背面図である。
【図４】第１実施形態に係るスマートフォンの構成を示すブロック図である。
【図５】第１実施形態に係るスマートフォンにおける詳細な機能を示すブロック図である。
【図６】第１実施形態に係る位置登録処理を示すフローチャートである。
【図７】第２実施形態に係るスマートフォンにおける詳細な機能を示すブロック図である。
【図８】第２実施形態に係るリスト更新処理を示すフローチャートである。
【発明を実施するための形態】
【００１７】
［第１実施形態］
本発明を実施するための第１実施形態を、図面を参照しつつ詳細に説明する。以下では、携帯端末の一例として、スマートフォンについて説明する。
【００１８】
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１９】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２０】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２１】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２２】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２３】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２４】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２５】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２６】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２７】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２８】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２９】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３０】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３１】
図４は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００３２】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３３】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００３４】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３５】
照度センサ４は、照度を検出する。例えば、照度とは、光の強さ、明るさ、輝度等である。照度センサ４は、例えば、ディスプレイ２Ａの輝度の調整に用いられる。
【００３６】
近接センサ５は、近隣の物体の存在を非接触で検出する。近接センサ５は、例えば、タッチスクリーンディスプレイ２が顔に近付けられたことを検出する。
【００３７】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３８】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００３９】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４０】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４１】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【００４２】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４３】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００４４】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００４５】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４６】
カメラ１２は、フロントフェイス１Ａに面している物体を撮影するインカメラである。カメラ１３は、バックフェイス１Ｂに面している物体を撮影するアウトカメラである。
【００４７】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００４８】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００４９】
図５は、スマートフォン１におけるストレージ９及びコントローラ１０の詳細な機能を示すブロック図である。
【００５０】
ストレージ９は、揮発性のリスト記憶領域９１を有し、コントローラ１０の制御に従って、回線交換（ＣＳ）に対してのみ位置登録するネットワークに対応するネットワーク情報の集合であるＣＳリスト、及びパケットサービス（ＰＳ）に対してのみ位置登録するネットワークに対応するネットワーク情報の集合であるＰＳリストを記憶する。
ここで、ＣＳリストは、パケットサービスに対する位置登録を許可しないネットワークに対応するネットワーク情報の集合でもある。同様に、ＰＳリストは、回線交換に対する位置登録を許可しないネットワークに対応するネットワーク情報の集合でもある。
【００５１】
なお、ネットワーク情報とは、具体的には、通信事業者を識別するＩＤであり、回線交換に対してのみ位置登録する事業者、及びパケットサービスのみに位置登録する事業者が予め定められているものとする。通信事業者を識別するＩＤは、ＰＬＭＮ  ＩＤ（Ｐｕｂｌｉｃ  Ｌａｎｄ  Ｍｏｂｉｌｅ  Ｎｅｔｗｏｒｋ  ＩＤ）であってもよい。また、ＰＬＭＮ  ＩＤは、ＭＣＣ（Ｍｏｂｉｌｅ  Ｃｏｕｎｔｒｙ  Ｃｏｄｅ；国番号）とＭＮＣ（Ｍｏｂｉｌｅ  Ｎｅｔｗｏｒｋ  Ｃｏｄｅ；ネットワーク番号）よりなってもよい。
【００５２】
コントローラ１０は、設定部１０１と、登録部１０２とを備える。
設定部１０１は、スマートフォン１の電源起動時に、パケットサービスに対してのみ位置登録するネットワークに対応するＰＳリスト、及び回線交換に対してのみ位置登録するネットワークに対応するＣＳリストを、リスト記憶領域９１に記憶することにより設定する。
【００５３】
登録部１０２は、通信ユニット６により発見した基地局を介して、所定のネットワークに対して位置登録を行う。このとき、コントローラ１０は、通常、回線交換及びパケットサービスの双方に対して同時に位置登録を試みる。
【００５４】
登録部１０２は、基地局からの報知情報に含まれる当該基地局のネットワークに対応するネットワーク情報が、設定部１０１により設定されたＰＳリスト内のいずれかと一致する場合には、パケットサービスに対してのみ位置登録する。また、登録部１０２は、基地局からの報知情報に含まれる当該基地局のネットワークに対応するネットワーク情報が、設定部１０１により設定されたＣＳリスト内のいずれかと一致する場合には、回線交換に対してのみ位置登録する。
【００５５】
図６は、スマートフォン１における位置登録処理を示すフローチャートである。
ステップＳ１において、登録部１０２は、基地局からの報知情報を取得する。
【００５６】
ステップＳ２において、登録部１０２は、ステップＳ１で取得した報知情報から、基地局のネットワーク情報、すなわち事業者ＩＤを抽出する。
【００５７】
ステップＳ３において、登録部１０２は、ステップＳ２で抽出したネットワーク情報を、ＰＳリスト及びＣＳリストと照合し、いずれかのリストに含まれるか否かを判定する。抽出したネットワーク情報がＰＳリストに含まれる場合、処理はステップＳ４に移り、抽出したネットワーク情報がＣＳリストに含まれる場合、処理はステップＳ５に移る。また、いずれのリストにも含まれない場合、処理はステップＳ６に移る。
【００５８】
ステップＳ４において、登録部１０２は、パケットサービスに対してのみ位置登録を実施（ＥＰＳ  Ａｔｔａｃｈ）し、ネットワークへ回線交換に対する位置登録を要求しない。
【００５９】
ステップＳ５において、登録部１０２は、回線交換に対してのみ位置登録を実施し、ネットワークへパケットサービスに対する位置登録を要求しない。
【００６０】
ステップＳ６において、登録部１０２は、回線交換及びパケットサービスの双方に対して同時に位置登録を実施（Ｃｏｍｂｉｎｅｄ  Ａｔｔａｃｈ）する。
【００６１】
本実施形態によれば、スマートフォン１は、事前に設定したネットワーク情報に基づいて、特定のネットワークの場合には、パケットサービス又は回線交換の一方に対してのみ位置登録する。
仮に、スマートフォン１が回線交換及びパケットサービスの双方に対して位置登録を要求すると、特定のネットワークからは、回線交換又はパケットサービスのいずれかに対する位置登録が拒否される場合がある。したがって、スマートフォン１は、不要な位置登録の処理を抑制できるので、自端末及びネットワークの負荷を低減できる。
【００６２】
さらに、スマートフォン１は、電源起動時にネットワーク情報を設定するので、起動時の初期処理の一部として効率的に設定を完了できる。また、不揮発性のリスト記憶領域９１に記憶されたＰＳリスト又はＣＳリストが消去された場合にも、電源起動と共に再設定されるので、スマートフォン１は、起動直後の初期接続においても効率的に位置登録処理を行える。
【００６３】
［第２実施形態］
本発明を実施するための第２実施形態を、図面を参照しつつ詳細に説明する。なお、第１実施形態と同様の構成については同一の符号を付し、説明を省略又は簡略化する。
【００６４】
図７は、本実施形態に係るスマートフォン１ａにおけるストレージ９ａ及びコントローラ１０ａの詳細な機能を示すブロック図である。
【００６５】
ストレージ９ａは、不揮発性のリスト記憶領域９１ａを有し、コントローラ１０ａの制御に従って、回線交換に対してのみ位置登録するネットワークに対応するＣＳリスト、及びパケットサービスに対してのみ位置登録するネットワークに対応するＰＳリストを記憶する。
【００６６】
コントローラ１０は、登録部１０２と、更新部１０３とを備える。
更新部１０３は、ユーザからタッチスクリーン２Ｂ等の入力デバイスを介して、又は通信ユニット６を介して基地局から取得した情報に基づいて、リスト記憶領域９１ａのＰＳリスト又はＣＳリストを更新する。
具体的には、例えば、更新部１０３は、基地局から回線交換又はパケットサービスに対する位置登録を拒否された場合に、当該基地局のネットワークに対応するネットワーク情報をＰＳリスト又はＣＳリストに追加記憶する。
【００６７】
図８は、スマートフォン１におけるリスト更新処理を示すフローチャートである。
ステップＳ１１において、登録部１０２は、回線交換及びパケットサービスの双方に対して同時に位置登録を要求する。
【００６８】
ステップＳ１２において、更新部１０３は、ネットワークから位置登録が拒否されたか否かを判定する。回線交換に対する位置登録が拒否された場合、処理はステップＳ１３に移り、パケットサービスに対する位置登録が拒否された場合、処理はステップＳ１４に移る。また、位置登録が拒否されなかった場合、処理は終了する。
【００６９】
ステップＳ１３において、更新部１０３は、回線交換に対する位置登録が拒否されたネットワークの情報を、ＰＳリストに追加更新する。
【００７０】
ステップＳ１４において、更新部１０３は、パケットサービスに対する位置登録が拒否されたネットワークの情報を、ＣＳリストに追加更新する。
【００７１】
本実施形態によれば、スマートフォン１ａは、不揮発性のリスト記憶領域９１ａを有し、この領域にＰＳリスト及びＣＳリストを記憶するので、電源のオン・オフ動作に関係なく、起動直後の初期接続においても効率的に位置登録処理を行える。
なお、ＣＳリスト及びＰＳリストが予め登録されている場合に限らず、ＣＳ及びＰＳの双方に位置登録を要求して拒否された場合に、当該拒否されたネットワークの情報を新たにＣＳリスト及びＰＳリストとしてリスト記憶領域９１ａを作成して記憶するようにしてもよい。
【００７２】
さらに、スマートフォン１は、ユーザ又は基地局から取得した情報に基づいて、ＰＳリスト及びＣＳリストを更新するので、最新のリストに基づいて、効率的に位置登録処理を行える。
【００７３】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００７４】
図４、図５及び図７に示したスマートフォン１の構成は一例であり、本発明の要旨を損なわない範囲において適宜変更してよい。
【００７５】
なお、図４においてストレージ９が記憶することとしたプログラムの一部又は全部は、通信ユニット６による無線通信で他の装置からダウンロードされてもよい。また、図４においてストレージ９が記憶することとしたプログラムの一部又は全部は、ストレージ９に含まれる読み取り装置が読み取り可能な記憶媒体に記憶されていてもよい。また、図４においてストレージ９が記憶することとしたプログラムの一部又は全部は、外部インターフェイス１４に接続される読み取り装置が読み取り可能なＣＤ、ＤＶＤ、又はＢｌｕ−ｒａｙ等の記憶媒体に記憶されていてもよい。
また、図４に示した各プログラムは、複数のモジュールに分割されていてもよいし、他のプログラムと結合されていてもよい。
【００７６】
また、前述の実施形態では、携帯端末の一例として、スマートフォンについて説明したが、携帯端末は、スマートフォンに限定されない。例えば、携帯端末は、モバイルフォン、携帯型パソコン、デジタルカメラ、メディアプレイヤ、電子書籍リーダ、ナビゲータ又はゲーム機等の携帯電子機器、あるいは通信機能に特化した通信専用モジュールであってもよい。
【符号の説明】
【００７７】
１、１ａ  スマートフォン
６  通信ユニット
９、９ａ  ストレージ
１０、１０ａ  コントローラ
９１、９１ａ  リスト記憶領域（記憶部）
１０１  設定部
１０２  登録部
１０３  更新部
【図１】
2014082629.tif 000003
【図２】
2014082629.tif 000004
【図３】
2014082629.tif 000005
【図４】
2014082629.tif 000006
【図５】
2014082629.tif 000007
【図６】
2014082629.tif 000008
【図７】
2014082629.tif 000009
【図８】
2014082629.tif 000010